(57)【要約】【課題】変換キーを使用せずに、メインキーから３種類のサブキーに任意に変換することができるキー変換式ピンタンブラー錠を提供する。【解決手段】ケーシング１内の固定部２内にロータ３が回転可能に嵌挿される。固定部２には有底ピン孔２２が穿設され、各有底ピン孔２２に各々ドライブピン４ａ〜４ｉがばねにより付勢されて挿入される。ロータ３にはシャーラインを介して各有底ピン孔２２に連通可能な貫通ピン孔３２が穿設され、各貫通ピン孔３２にはコードピン６ａ〜６ｉが挿入される。異なった配列位置の２本の有底ピン孔２２または貫通ピン孔３２に、各々ボール７ａ，７ｂがドライブピン４ａ〜４ｉとコードピン６ａ〜６ｉの間に挿入される。変換用のキーをキー挿入口９に差し込んで、ロータ３を最初の位置に戻す際、２個のボールのうちの少なくとも１個のボールを選択的に移動させてキーを変換する。【選択図】図１０
2005307641.tif 000002
【特許請求の範囲】
【請求項１】
ケーシング内に固定部が取付けられ、該固定部内に錠軸を有するロータが回転可能に嵌挿され、該固定部と該ロータの当接する一面にシャーラインが形成され、該固定部には複数の有底ピン孔が穿設され、各有底ピン孔に各々ドライブピンがばねにより付勢されて挿入され、該ロータにはシャーラインを介して各有底ピン孔に連通可能な複数の貫通ピン孔が穿設され、各貫通ピン孔には各々コードピンが挿入され、変換用のキーをキー挿入口に差込み、該ロータを任意列回転させた状態で、代りに別の変換用のキーを該挿入口に差込み、該ロータを最初の位置まで回転させることにより、前のキーを使用不能とし、別のキーを使用可能とするキー変換式ピンタンブラー錠において、
異なった配列位置の２本の有底ピン孔または貫通ピン孔に、各々ボールがドライブピンとコードピンの間に挿入され、変換用のキーをキー挿入口に差し込んで、ロータを最初の位置に戻す際、該２個のボールのうちの少なくとも１個のボールを選択的に移動させてキーを変換することを特徴とするキー変換式ピンタンブラー錠。
【請求項２】
前記固定部の有底ピン孔と前記ロータの貫通ピン孔からなる複数のピン孔が円環状に配置され、該ピン孔の配列数が９本に設定されたことを特徴とする請求項１記載のキー変換式ピンタンブラー錠。
【請求項３】
前記キー挿入口に位置する前記ロータ先端の嵌合部の側部に、嵌合凸部と嵌合凹部が形成されたことを特徴とする請求項１記載のキー変換式ピンタンブラー錠。
【発明の詳細な説明】
【技術分野】
【０００１】
本発明は、キーを紛失或は盗難した場合などに、そのキーを使用不能とし、別のキーを使用可能とし得るキー変換式ピンタンブラー錠に関する。
【背景技術】
【０００２】
この種のキー変換式ピンタンブラー錠として、従来、円筒形のケーシング内に固定部を取付けると共に、その固定部の中心孔に錠軸を有するロータを回転可能に嵌挿して、固定部とロータの当接する一面にシャーラインを形成し、固定部には複数の有底ピン孔が穿設され、それらの有底ピン孔に各々ドライブピンが上方に付勢されて挿入され、ロータにはシャーラインを介して各有底ピン孔に連通可能な複数の貫通ピン孔が穿設され、それらの貫通ピン孔にはコードピンが挿入され、上記ドライブピンのうちの１本が短く形成されると共に、その短寸のドライブピンの上、つまりピン孔のシャーライン側にボールが挿入されてなるピンタンブラー錠が、下記特許文献１などで知られている。
【０００３】
このピンタンブラー錠には、錠の挿入口から差込み可能でコードピンを押圧するカム溝面と抜け止め用突起を有する通常の第一キーの他に、上記抜け止め用突起を有さずに、第一キーと同様なカム溝面を有する第一変換キーと、上記抜け止め用突起を有さずに、第一キー（第一変換キー）とはボール１個分相違したカム溝面を有する第二変換キーと、上記抜け止め用突起を有すると共に、第二変換キーと同様なカム溝面を有する第二キーとが備えられる。
【０００４】
そして、第一キーを紛失し、専用キーを第二キーに変更する場合、第一変換キーを錠本体の挿入口に差込み、そのキーを回すことにより、ロータを任意列分（例えば１ポジション）回転させ、その状態で第一変換キーを引き抜く。
【０００５】
次に、第二変換キーを錠本体の挿入口に差込む。このとき、第二変換キーは第一変換キー（第一キー）とはボール１個分相違したカム溝面を有しているため、ボールがロータ内の貫通ピン孔に移動し全てのドライブピンは固定部内の有底ピン孔内に退避する。
【０００６】
したがって、この状態で第二変換キーを回すと、ボールがロータ内の貫通ピン孔と共に回転して移動し、ロータを最初の位置まで回転させたところで、第二変換キーを引き抜く。これにより、ボールが入り込んだ列のピン孔内のコードピンはボール一個分だけ、キー挿入孔内に突出する。したがって、第二キーのピン押圧用のカム溝面はボール１個分だけ相違しているため、第二キーだけが使用可能となり、第一キーは使用不能となる。
【特許文献１】実公平４−４８２９６号公報
【発明の開示】
【発明が解決しようとする課題】
【０００７】
しかし、この種のキー変換式ピンタンブラー錠は、第一変換キーと第二変換キーを使用して、第一キーから第二キーへ容易にキーを変更することができるものの、変換可能なキーが１種類のみであり、また、変換するための変換キーを必要とする問題があった。
【０００８】
本発明は、上記の点に鑑みてなされたもので、変換キーを使用せずに、メインキーから３種類のサブキーに任意に変換することができるキー変換式ピンタンブラー錠を提供することを目的とする。
【課題を解決するための手段】
【０００９】
上記目的を達成するために、本発明のキー変換式ピンタンブラー錠は、ケーシング内に固定部が取付けられ、固定部内に錠軸を有するロータが回転可能に嵌挿され、固定部とロータの当接する一面にシャーラインが形成され、固定部には複数の有底ピン孔が穿設され、各有底ピン孔に各々ドライブピンがばねにより付勢されて挿入され、ロータにはシャーラインを介して各有底ピン孔に連通可能な複数の貫通ピン孔が穿設され、各貫通ピン孔には各々コードピンが挿入され、変換用のキーをキー挿入口に差込み、ロータを任意列回転させた状態で、代りに別の変換用のキーを挿入口に差込み、ロータを最初の位置まで回転させることにより、前のキーを使用不能とし、別のキーを使用可能とするキー変換式ピンタンブラー錠において、異なった配列位置の２本の有底ピン孔または貫通ピン孔に、各々ボールがドライブピンとコードピンの間に挿入され、変換用のキーをキー挿入口に差し込んで、ロータを最初の位置に戻す際、２個のボールのうちの少なくとも１個のボールを選択的に移動させてキーを変換することを特徴とする。
【００１０】
ここで、上記構成のキー変換式ピンタンブラー錠においては、請求項２のように、固定部の有底ピン孔と前記ロータの貫通ピン孔からなる複数のピン孔を円環状に配置し、ピン孔の配列数を９本に設定することができる。
【００１１】
また、請求項３のように、キー挿入口に位置するロータ先端の嵌合部の側部に、嵌合凸部と嵌合凹部を形成することができる。
【発明の効果】
【００１２】
このような構成のキー変換式ピンタンブラー錠は、キーを変換する場合、特定の例えばメインキーを錠のキー挿入口に差込み、それを回してロータを任意列に回転させた状態で、代りに別の変換しようとする例えばサブキーをキー挿入口に差込み、それを元の位置に戻すように回す。このとき、特定のドライブピンとコードピンの間に位置する少なくとも１個のボールが隣のピン孔に移動し、これにより、ピンの長さが変り、解錠可能なキーがメインキーからサブキーに変換される。このようなキーの変換は、２個のボールが異なったピン孔に各々挿入され、一方のボールを移動させて変換し、或いは２個のボールを同時に移動させて、キー変換を行うことができるため、メインキー用の錠を合計３種類のサブキー用の錠に変換することができる。
【００１３】
また、このキー変換式ピンタンブラー錠は、固定部の有底ピン孔と前記ロータの貫通ピン孔からなる複数のピン孔を円環状に配置し、小形のケーシング或いはロータの錠であっても、ピン孔の配列数を９本に設定することができるから、このようにピン孔を９本とした場合、各ピン孔内のコードピンの長さの組み合わせを、従来のピン孔を５本或いは７本としたこの種の錠に比べ、より多くの種類のキーを持った錠を製造することができる。
【００１４】
また、請求項３のように、キー挿入口に位置するロータ先端の嵌合部の側部に、嵌合凸部と嵌合凹部を形成すれば、従来の嵌合凸部または嵌合凹部のない嵌合部に対応したキーは、ロータ先端の嵌合部にはめ込むことができず、不正キーによる不正解錠を防止することができる。
【発明を実施するための最良の形態】
【００１５】
以下、本発明の実施形態を図面に基づいて説明する。図１はキー変換式ピンタンブラー錠の正面図を示し、図２はその断面図を、図３はその分解断面図を示している。１は円筒形のケーシングであり、ケーシング１の上部には内側フランジ部８が形成され、その内側フランジ部８の中央にキー挿入口９が円形で一部に切欠凹部を設けて形成される。さらに、ケーシング１内には、ロータ３と固定部２が挿入され、側部から固定ピンなどを打ち込むことにより、固定部２はケーシング１内に固定され、その内側に挿入されたロータ３は固定部２に対し回動可能に保持される。
【００１６】
固定部２の軸中心には中心孔が縦に穿設され、その中心孔に錠軸３１を有するロータ３が回転可能に嵌挿され、固定部２とロータ３の当接する水平面にシャーラインＭが形成される。また、ロータ３の上部にはキー１０の挿入部１１の嵌合穴１３が嵌合する嵌合部３３が形成され、その嵌合部３３の上部に矩形溝状の嵌合凹部３４が形成され、その下部には半円形の嵌合凸部３５が形成されている。
【００１７】
固定部２には、９個の有底ピン孔２２が円周方向に約３７度の角度間隔をもって穿設され、それら１番〜９番の有底ピン孔２２に各々ドライブピン４ａ〜４ｉが摺動可能に収容されている。２番〜７番、９番の有底ピン孔２２に挿入されたドライブピン４ｂ〜４ｉの下部には脚部が設けられ、１番、８番の有底ピン孔２２に挿入されたドライブピン４ｂ、４ｈには脚部はなく、有底ピン孔２２の底部にはコイルばね５が配設され、ドライブピン４ａ〜４ｉを上方に付勢している。脚部はドライブピンがキーにより押込まれた際のストッパとなるものである。
【００１８】
一方、ロータ３の錠軸の中間部に形成された大径部の下面は、シャーラインＭを形成しており、その大径部には円環状に、固定部２の各有底ピン孔２２に連通可能な９個の貫通ピン孔３２が、上記有底ピン孔２２と同じ角度間隔で穿設され、それらの貫通ピン孔３２に各々コードピン６ａ〜６ｉが挿入される。各コードピン６の長さは、解錠用のキー１０に設けるピン押圧用のカム溝１２に応じて設定される。さらに、２番と９番の貫通ピン孔３２内には、コードピン６ｂ，６ｉの下側に、ボール（金属球）７ａ，７ｂが挿入されている。
【００１９】
上記９個の有底ピン孔２２と９個の貫通ピン孔３２の内径は、例えば２.６ｍｍとされ、ボール（金属球）７ａ，７ｂの外径は２.４ｍｍ、ドライブピン４ａ〜４ｉ及びコードピン６ａ〜６ｉの外径は２.５ｍｍに設定されている。例えば、ロータ３の大径部の外径を１５ｍｍに設定した場合、内径２．６ｍｍの貫通ピン孔３２はロータ３上に最大で９個形成可能であり、そのために、９個の貫通ピン孔３２がロータ３上に円環状に形成されている。また、ドライブピン４ａ〜４ｉの長さは、脚部をもったものが８．７ｍｍ、脚部をもたないものが６．０ｍｍに設定され、コードピン６ａ〜６ｉの長さは、後述のキー１０のカム溝１２の深さに応じて設定される。ドライブピン４ａ〜４ｉの上端部及びコードピン６ａ〜６ｉの下端部は、シャーラインＭにおいて容易に移動が可能なように、略半球形に形成されている。
【００２０】
図６〜図９はこのキー変換式ピンタンブラー錠で使用されるキー１０の一例を示している。キー１０の先端には円筒形の挿入部１１が形成され、挿入部１１の先端外周部には、操作時に各コードピン６ａ〜６ｉを押圧するためのカム溝１２が形成される。それらのカム溝１２の形状は、各コードピン６ａ〜６ｉの長さに対応して設定され、キー１０を錠のキー挿入口９に差込みコードピン６ａ〜６ｉを押込んだ際、コードピン６ａ〜６ｉとボール７の下端がシャーラインＭに合致し、解錠状態とするように形成される。
【００２１】
キー１０としては、後述のように、メインキー１０Ｍの他に、交換キーとしてサブキー１０Ｂ，サブキー１０Ｃ，サブキー１０Ｄが製作されるが、３種の交換キーは、メインキー１０Ｍに対し、ボール７ａ，７ｂの挿入されたピン孔に対応したカム溝１２のみを変更して製作される。また、キー１０には、図６に示すように、円筒形の挿入部１１内に嵌合穴１３が先端に開口して穿設され、その嵌合穴１３内の０度（１２時）相当位置に嵌合凸部１５が突設され、その反対側には２本の嵌合凹部１４が形成されている。
【００２２】
図１０はピンタンブラー錠の定常時の展開断面図を示し、図１１はメインキー１０Ｍをキー挿入口９に差し込んだときの展開断面図を示している。この図１０、図１１により、メインキー１０Ｍを差し込んだとき、各ドライブピン４ａ〜４ｉとボール７ａ，７ｂと各コードピン６ａ〜６ｉの境界がシャーラインＭと一致し、ピンタンブラー錠は解錠状態となって、キーを回すことにより、ロータ３が回動可能となることが分かる。このピンタンブラー錠に使用されるキー１０は、上記のメインキー１０Ｍのほかに、交換キーとしてサブキー１０Ｂ、１０Ｃ、１０Ｄの３種類が設定される。
【００２３】
各々のサブキー１０Ｂ、１０Ｃ、１０Ｄは、メインキー１０をキー挿入口９に差し込み、所定ピッチ角度（各ピン孔間の角度で、ここでは約３７度）右にキーを回してメインキー１０を抜いたとき、その状態のキー挿入口９に差し込み可能にそのカム溝１２が形成されるが、各サブキーのカム溝１２の深さは、ボール７ａ，７ｂを挿入したピン孔に対応したカム溝を除き、メインキー１０のカム溝と同じに形成されている。
【００２４】
すなわち、サブキー１０Ｂは、図１５に示すように、２番のピン孔に対応したカム溝１２がメインキー１０Ｍのそのカム溝の深さよりボール７ａの分だけ深く形成され、サブキー１０Ｃは、図１６に示すように、９番のピン孔に対応したカム溝１２がメインキー１０Ｍのそのカム溝の深さよりボール７ｂの分だけ深く形成され、サブキー１０Ｄは、図１７に示すように、２番と９番のピン孔に対応したカム溝１２がメインキー１０Ｍの当該カム溝の深さよりボール７ａ，７ｂの分だけ深く形成されている。
【００２５】
次に、上記構成のキー変換式ピンタンブラー錠のキーの変換動作を、図１０〜図１７を参照して説明する。メインキー１０Ｍからサブキー１０Ｂ、１０Ｃ、または１０Ｄにキーを変換する場合、先ず、メインキー１０Ｍをキー挿入口９に差し込む。このとき、メインキー１０Ｍの挿入部１１のカム溝１２が挿入口９内の各コードピン６ａ〜６ｉを押し下げ、図１１に示すような解錠状態、つまりコードピン６ａ〜６ｉの下端部（ドライブピン４ａ〜４ｉまたはボール７との当接面）がシャーラインＭに一致した解錠状態となる。
【００２６】
次に、挿入したメインキー１０Ｍを右に約３７度（９本のピン孔の１ピッチ分）だけ回して図１２の状態とし、その状態で、メインキー１０Ｍをキー挿入口９から抜く。このとき、各ドライブピン４ａ〜４ｉ、コードピン６ａ〜６ｉ及びボール７ａ，７ｂは図１３に示す状態となる。そして、次に、変換しようとするサブキー、例えばサブキー１０Ｂを、上記の状態のキー挿入口９に差し込む。すると、図１４に示すように、１番の貫通ピン孔３２内にボール７ａが侵入した解錠状態、つまりコードピン６ａ〜６ｉの下端部（ドライブピン４ａ〜４ｉまたはボール７ａとの当接面）がシャーラインＭに一致した解錠状態となる。
【００２７】
そして、この状態で、サブキー１０Ｂを左に約３７度回し、ロータ３を元の通常位置に戻す。すると、図１５に示すように、１番のピン孔にあったボール７ａが２番のピン孔に移動し、コードピン６ｂの長さがメインキー１０Ｍによる解錠状態より長く変更されたことになり、ピンタンブラー錠はサブキーＢにより解錠される錠に変換される。
【００２８】
一方、メインキー１０Ｍを右に約３７度（９本のピン孔の１ピッチ分）だけ回した状態で、メインキー１０Ｍをキー挿入口９から抜き（図１３）、この状態でサブキー１０Ｃをキー挿入口９に差し込む。ここで、サブキー１０Ｃは、上記のように、８番のピン孔に対応したカム溝１２がメインキー１０Ｍのそのカム溝の深さよりボール７ｂの分だけ深く形成されたキーである。したがって、８番の貫通ピン孔３２内にボール７ｂが侵入した解錠状態、つまりコードピン６ａ〜６ｉの下端部（ドライブピン４ａ〜４ｉまたはボール７ｂとの当接面）がシャーラインＭに一致した解錠状態となる。そして、上記と同様に、この状態で、サブキー１０Ｃを左に約３７度回し、ロータ３を元の定常位置に戻す。すると、図１６に示すように、８番のピン孔にあったボール７ｂが９番のピン孔に移動し、コードピン６ｉの長さがメインキー１０Ｍによる解錠状態より長く変更されたことになり、ピンタンブラー錠はサブキーＣにより解錠される錠に変換される。
【００２９】
一方、メインキー１０Ｍを右に約３７度（９本のピン孔の１ピッチ分）だけ回した状態で、メインキー１０Ｍをキー挿入口９から抜き（図１３）、この状態でサブキー１０Ｄをキー挿入口９に差し込む。ここで、サブキー１０Ｄは、上記のように、１番と８番のピン孔に対応したカム溝１２がメインキー１０Ｍのそのカム溝の深さよりボール７ａ、７ｂの分だけ深く形成されたキーである。したがって、１番と８番の貫通ピン孔３２内にボール７ｂが侵入した解錠状態、つまりコードピン６ａ〜６ｉの下端部（ドライブピン４ａ〜４ｉまたはボール７ｂとの当接面）がシャーラインＭに一致した解錠状態となる。そして、上記と同様に、この状態で、サブキー１０Ｄを左に約３７度回し、ロータ３を元の通常位置に戻す。すると、図１７に示すように、１番と８番のピン孔にあったボール７ａ，７ｂが２番、９番のピン孔に移動し、コードピン６ｂ、６ｉの長さがメインキー１０Ｍによる解錠状態より長く変更されたことになり、ピンタンブラー錠はサブキーＤにより解錠される錠に変換される。
【００３０】
このように、上記構成のピンタンブラー錠では、ピン孔に２個のボールを移動可能に挿入し、キーを交換する際、それらのボールを選択的に他の（隣の）ピン孔に移動させるため、メインキー１０Ｍから３種類のサブキー１０Ｂ、１０Ｃ，１０Ｄに、任意にキーを変換することができる。また、ロータ３の先端の嵌合部３３に、嵌合凹部３４と共に嵌合凸部３５を設けているため、従来製造されていたこの種のピンタンブラー錠のキーは不正に挿入することができず、不正解錠を防止することができる。さらに、ケーシング１、固定部２、或いはロータ３を小形としながら、例えばロータ３の外径を１５ｍｍに抑えながら、外径２．５ｍｍのピン配列を９本（円環状に配置されるピン孔を９本）設けているため、従来の５本或いは７本のピン配列より、多くの種類の解錠キーを設定することができ、より多くの種類のピンタンブラー錠を製造することができる。
【図面の簡単な説明】
【００３１】
【図１】本発明の一実施形態を示すキー変換式ピンタンブラー錠の正面図である。
【図２】同ピンタンブラー錠の断面図である。
【図３】同錠の分解断面図である。
【図４】固定部２の拡大正面図である。
【図５】図２の拡大V-V断面図である。
【図６】メインキー１０の正面図である。
【図７】同キー１０の左側面図である。
【図８】同キー１０の斜視図である。
【図９】同キーの先端部断面図である。
【図１０】ピンの配列状態を示す展開断面図である。
【図１１】メインキーを差し込んだときのピン配列を示す展開断面図である。
【図１２】メインキーを右に回動した際のピン配列を示す展開断面図である。
【図１３】メインキーを右に回動し、キーを抜いたときのピン配列を示す展開断面図である。
【図１４】メインキーを右に回動し、メインキーを抜き、サブキー１０Ｂを挿入したときのピン配列を示す展開断面図である。
【図１５】メインキーを右に回動し、メインキーを抜き、サブキー１０Ｂを挿入し、左に戻したときのピン配列を示す展開断面図である。
【図１６】メインキーを右に回動し、メインキーを抜き、サブキー１０Ｃを挿入し、左に戻したときのピン配列を示す展開断面図である。
【図１７】メインキーを右に回動し、メインキーを抜き、サブキー１０Ｄを挿入し、左に戻したときのピン配列を示す展開断面図である。
【符号の説明】
【００３２】
１−ケーシング、
２−固定部、
３−ロータ、
４ａ〜４ｉ−ドライブピン、
６ａ〜６ｉ−コードピン、
Ｍ−シャーライン、
７ａ，７ｂ−ボール
９−キー挿入口
１０−キー
１１−挿入部
１２−カム溝
１３−嵌合穴
１４−嵌合凹部
１５−嵌合凸部
２２−有底ピン孔
３１−錠軸
３２−貫通ピン孔
３３−嵌合部
３４−嵌合凹部
３５−嵌合凸部
【図１】
2005307641.tif 000003
【図２】
2005307641.tif 000004
【図３】
2005307641.tif 000005
【図４】
2005307641.tif 000006
【図５】
2005307641.tif 000007
【図６】
2005307641.tif 000008
【図７】
2005307641.tif 000009
【図８】
2005307641.tif 000010
【図９】
2005307641.tif 000011
【図１０】
2005307641.tif 000012
【図１１】
2005307641.tif 000013
【図１２】
2005307641.tif 000014
【図１３】
2005307641.tif 000015
【図１４】
2005307641.tif 000016
【図１５】
2005307641.tif 000017
【図１６】
2005307641.tif 000018
【図１７】
2005307641.tif 000019